(57)【要約】【課題】防火処理による安全確保と製造コストの低減を両立することができる浴室暖房乾燥機を提供すること。【解決手段】合成樹脂製の本体ケースと、熱交換器と、送風ファンと、送風ファンを駆動するための電動機を有し、電動機が本体ケースの収容部に収容された状態で固定カバーによって本体ケースに固定され、電動機の電力線接続部は樹脂封止が施されていると共に、電力線接続部に臨む部分に防火処理が施されている浴室暖房乾燥機において、電力線接続部から外部に延びる電力線は、電力線接続部から延びる予め設定された長さの細線部と、細線部の端部から外方に延びる細線部よりも太い太線部を有し、電動機を固定した状態で所定の位置に形成される本体ケースと固定カバーの間の隙間から電力線が外部に引き出されるように構成され、その隙間の大きさを細線部は通し且つ太線部は通せない大きさに設定した。【選択図】図６
2020193750.tif 000002
【特許請求の範囲】
【請求項１】
合成樹脂製の本体ケースと、熱交換器と、送風ファンと、前記送風ファンを駆動するための電動機を有し、前記電動機が前記本体ケースの収容部に収容された状態で固定カバーによって前記本体ケースに固定され、前記電動機の電力線接続部は樹脂封止が施されていると共に、前記電力線接続部に臨む部分に防火処理が施されている浴室暖房乾燥機において、
前記電力線接続部から外部に延びる電力線は、前記電力線接続部から延びる予め設定された長さの細線部と、前記細線部の端部から外方に延びる前記細線部よりも太い太線部を有し、
前記電動機を固定した状態で所定の位置に形成される前記本体ケースと前記固定カバーの間の隙間から前記電力線が外部に引き出されるように構成され、前記隙間が前記細線部を通し且つ前記太線部を通せない大きさに設定されたことを特徴とする浴室暖房乾燥機。
【請求項２】
前記太線部は複数の被覆電線を外装材で被覆して構成され、前記細線部は前記外装材による被覆がない複数の被覆電線であることを特徴とする請求項１に記載の浴室暖房乾燥機。
【請求項３】
前記太線部は複数の被覆電線を保護チューブで覆って構成され、前記細線部は前記保護チューブに覆われていない複数の被覆電線であることを特徴とする請求項１に記載の浴室暖房乾燥機。
【発明の詳細な説明】
【技術分野】
【０００１】
本発明は、浴室暖房乾燥機に関し、特にトラッキング現象を防いで安全を確保する浴室暖房乾燥機に関する。
【背景技術】
【０００２】
浴室内は、入浴による高温高湿環境とそれ以外の通常環境との間で繰り返し環境が変化する。浴室用の設備機器には、このように繰り返し変化するサイクル環境下で使用しても水分の侵入によって故障等が発生しないことが求められる。例えば特許文献１のように、密閉容器に収容した照明装置の電源線を密閉容器内と浴室外部とを連通する管部材に通すことによって、密閉容器内に水分が侵入し難い構造が知られている。
【０００３】
浴室には、浴室内の暖房や換気を行うための浴室暖房乾燥機が浴室の天井等に配設されている。浴室暖房乾燥機は、合成樹脂製の本体ケース内に送風ファンや熱交換器等の機器が収容されており、長期間の使用によって埃が溜まる。この浴室暖房乾燥機も上記のサイクル環境下で使用されるので、高湿環境下では水分によって埃に電流が流れ易くなってトラッキング現象が発生して発火する虞がある。
【０００４】
それ故、暖房乾燥機の送風ファンを駆動する電動機は、円筒状の電動機ケースに収容されて電力線が電動機ケースの側壁部（円筒壁部）の電力線接続部から電動機ケース外に引き出され、埃や水分の侵入、付着を防ぐために電力線接続部が樹脂封止されている。これによりトラッキング現象を防止して、故障や火災の発生を防いでいる。
【０００５】
この電力線接続部を封止する樹脂は、サイクル環境下で長期間使用する間に徐々に劣化する。劣化が進行して水分等の侵入を防ぐことができなくなると、トラッキング現象が発生して火災が発生する虞がある。そのため、電力線接続部の周囲には例えば金属製防火部材の配設等による防火処理を施している。
【先行技術文献】
【特許文献】
【０００６】
【特許文献１】特開２００２−２５３０６号公報
【発明の概要】
【発明が解決しようとする課題】
【０００７】
図９に示すように、電動機ケースに収容された電動機３６は、浴室暖房乾燥機の本体ケース３０上面部を円形状に凹入させて設けられた収容部３０ａに収容され、電動機ケースの上側を覆う固定カバー３８によって固定されている。電動機作動時の振動が浴室に伝わらないようにするため、電動機ケースを本体ケース３０に直接固定せず、電動機ケースの上面と下面に装備された防振材を介して、電動機ケースの上側を覆う固定カバー３８と収容部３０ａの底部に挟まれて固定されている。電力線接続部から延びる電力線３１は、収容部３０ａと固定カバー３８の間の隙間を通して外部の電源端子まで引き出される。
【０００８】
このように固定カバー３８と収容部３０ａの底部に挟まれて固定される浴室暖房乾燥機の電動機３６は、収容部３０ａの周方向の任意の位置にその電力線接続部が位置した状態で固定することができるので、収容部３０ａ全体に防火処理を施して安全を確保している。しかし、防火処理を施す部分が大きいので、浴室暖房乾燥機の製造コストの増加を招いていた。
【０００９】
本発明の目的は、防火処理による安全確保と製造コストの低減を両立することができる浴室暖房乾燥機を提供することである。
【課題を解決するための手段】
【００１０】
請求項１の発明の浴室暖房乾燥機は、合成樹脂製の本体ケースと、熱交換器と、送風ファンと、前記送風ファンを駆動するための電動機を有し、前記電動機が前記本体ケースの収容部に収容された状態で固定カバーによって前記本体ケースに固定され、前記電動機の電力線接続部は樹脂封止が施されていると共に、前記電力線接続部に臨む部分に防火処理が施されている浴室暖房乾燥機において、前記電力線接続部から外部に延びる電力線は、前記電力線接続部から延びる予め設定された長さの細線部と、前記細線部の端部から外方に延びる前記細線部よりも太い太線部を有し、前記電動機を固定した状態で所定の位置に形成される前記本体ケースと前記固定カバーの間の隙間から前記電力線が外部に引き出されるように構成され、前記隙間が前記細線部を通し且つ前記太線部を通せない大きさに設定されたことを特徴としている。
【００１１】
上記構成によれば、電動機の電力線は、電力線接続部から延びる予め設定された長さの細線部と細線部端部から更に外方に延びる細線部よりも太い太線部を有している。そして電動機を固定した状態で本体ケースと固定カバーの間の隙間が所定の位置に形成され、その隙間の大きさは、電力線の細線部を通し且つ太線部を通せないように設定されている。そのため、収容部における電動機の電力線接続部の周方向位置が、設定された長さの細線部を本体ケースと固定カバーの間の隙間に通すことができる範囲内に限定される。従って、防火処理を施す部分を、その限定された範囲で電力線接続部に臨む部分に縮小させることができるので、浴室暖房乾燥機の安全確保と製造コストの低減を両立することができる。
【００１２】
請求項２の発明の浴室暖房乾燥機は、請求項１の発明において、前記太線部は複数の被覆電線を外装材で被覆して構成され、前記細線部は前記外装材による被覆がない複数の被覆電線であることを特徴としている。
【００１３】
上記構成によれば、細線部と太線部を備えた電力線を容易に形成できると共に浴室暖房乾燥機の安全を確保できる。
【００１４】
請求項２の発明の浴室暖房乾燥機は、請求項１の発明において、前記太線部は複数の被覆電線を保護チューブで覆って構成され、前記細線部は前記保護チューブに覆われていない複数の被覆電線であることを特徴としている。
【００１５】
上記構成によれば、細線部と太線部を備えた電力線を容易に形成できると共に浴室暖房乾燥機の安全を確保できる。
【発明の効果】
【００１６】
本発明の浴室暖房乾燥機によれば、防火処理による安全確保と製造コストの低減を両立することができる。
【図面の簡単な説明】
【００１７】
【図１】本発明の実施例に係る浴室暖房乾燥機の斜視図である。
【図２】図１のII−II線断面図である。
【図３】図２の要部拡大断面図である。
【図４】換気部の分解斜視図である。
【図５】傾斜部の要部拡大斜視図である。
【図６】電力線を引き出した切欠き部の拡大斜視図である。
【図７】電力線の例を示す図である。
【図８】電力線の他の例を示す図である。
【図９】従来の換気部の電力線の説明図である。
【発明を実施するための形態】
【００１８】
以下、本発明を実施するための形態について実施例に基づいて説明する。
【実施例】
【００１９】
人の入浴時の浴室は、給湯装置から供給される温水の使用によって、室温が上昇すると共に湿度が高まって高温高湿の環境になる。高温高湿環境はカビの発生等を助長するため、入浴後には浴室内を換気して通常環境に戻す。このとき換気は、浴室に配設された換気扇や浴室暖房乾燥機等の換気運転によって行われ、窓等があればこれも開ける場合がある。以下では、換気運転を行う浴室暖房乾燥機１について説明する。
【００２０】
図１，図２に示すように、浴室暖房乾燥機１は、浴室の天井に配設される天井カセット式浴室暖房乾燥機である。この浴室暖房乾燥機１の合成樹脂製の本体ケース内には、暖房運転用及び換気運転用の空気の通路（図示略）が形成されている。本体ケースは、暖房乾燥運転を行うための熱交換器２と浴室循環ファン３等を有する暖房部が収容された第１ケース４と、換気運転を行うための送風ファン１１等を有する換気部が収容された第２ケース１０を有する。第１ケース４の下面部には、浴室に連通するグリル状開口部等が形成されたグリル板６が装着される。
【００２１】
浴室の空気はグリル板６を介して第１ケース４内に導入される。暖房運転では、浴室循環ファン３を駆動して導入された浴室の空気が、熱交換器２で温水との熱交換により加熱されて、グリル板６を介して浴室内に送風される。熱交換器２には図示外の温水装置との間で温水を循環させるための温水配管２ａ，２ｂが接続される。
【００２２】
換気運転では、送風ファン１１を駆動して第１ケース４内に導入された浴室の空気が第２ケース１０内に導入され、排気部１３から外部に排気される。乾燥運転では、暖房運転と同時に換気運転を行う。尚、第２ケース１０は、浴室以外の脱衣室等の換気も行うことができるように、他室に連通する換気配管を接続するための吸気部１４，１５を備えている。
【００２３】
次に、第２ケース１０について説明する。
図２〜図６に示すように、第２ケース１０には、送風ファン１１を駆動する電動機１６が固定される。浴室内の空気は湿度が高いことが多いので、第２ケース１０に導入した空気に含まれる水分の侵入によって故障等が発生しないように、電動機１６が合成樹脂製の電動機ケース１７に密閉状に収容されて第２ケース１０に固定されている。
【００２４】
電動機１６は、例えば家庭用の交流電源で作動する交流モータであり、鉛直方向に延びる回転軸１６ａを備えて円柱状に形成され、回転軸１６ａに装着された送風ファン１１を駆動する。電動機ケース１７は円筒壁部と上面部と下面部を有して電動機１６を密閉状に覆い、その下面部に設けられた軸穴から回転軸１６ａが突出している。電動機ケース１７は、上面部に上側突出部１７ａを有し、下面部に下側突出部１７ｂを有し、上側突出部１７ａと下側突出部１７ｂに夫々防振ゴム部材１７ｃ，１７ｄが装着されている。
【００２５】
電動機１６の電力線２１は、電動機ケース１７の円筒壁部に設けられた電力線接続部１７ｅから電動機ケース１７の外側に延び、この電力線接続部１７ｅが例えばエポキシ樹脂等によって樹脂封止されている。この樹脂封止によって埃や水分が電力線接続部１７ｅに侵入しないようにして、トラッキング現象を防ぐ。電力線接続部１７ｅにおいて電力線２１は、電動機１６の配線基板に設けられた配線コネクタに接続されている、又は電動機１６の電源端子部に電力線２１が半田付け等されている。
【００２６】
次に、この電動機１６を収容した電動機ケース１７を第２ケース１０に固定する構造について説明する。
第２ケース１０には、電動機ケース１７を収容するために、送風ファン１１の上側の第２ケース１０の上面部の所定の円形領域を凹入させて収容部１０ａが形成されている。収容部１０ａの底部１０ｂの中央には電動機１６の回転軸１６ａを挿通する軸穴が設けられている。収容部１０ａの周壁部は、上側周壁部１０ｃの内径が下側周壁部１０ｄの内径よりも大きい段付き形状に形成されている。
【００２７】
下側周壁部１０ｄの所定の部位には、上方程径方向外方に広がる傾斜部１０ｅが設けられ、傾斜部１０ｅ近傍の段付き部１０ｆに上方に突出するようにスペーサ１０ｇが形成されている。傾斜部１０ｅには、防火処理として例えばアルミ等の金属製のフィルム又は薄板の防火部材１０ｈが配設されている。
【００２８】
収容部１０ａは、電力線接続部１７ｅが収容部１０ａの周方向のどの位置にあっても電動機ケース１７を収容可能な大きさに形成されているが、防火部材１０ｈが配設された傾斜部１０ｅが電力線接続部１７ｅに臨むように電力線接続部１７ｅの位置を定めて、電動機ケース１７収容する。収容された電動機ケース１７は防振ゴム部材１７ｃ，１７ｄを介して、その上側から覆う固定カバー１８と収容部１０ａの底部１０ｂに挟まれ、固定カバー１８を第２ケース１０にビスで固定することによって電動機ケース１７が第２ケース１０に固定される。この固定構造により、電動機１６の作動に伴う振動を防振ゴム部材１７ｃ，１７ｄによって吸収減衰させ、第２ケース１０に振動を伝え難くしている。
【００２９】
固定カバー１８は、合成樹脂材料によって収容部１２ａに収まるように略円形の板状に形成され、その中央部には、電動機ケース１７の上側突出部１７ａに装着された防振ゴム部材１７ｃに外嵌させるための内側リング部分１８ｂを有する。この内側リング部分１８ｂと外縁の外側リング部分１８ｃの間に、複数のスポーク状部分１８ｄが形成され、それらの間が電動機１６の放熱口になっている。
【００３０】
外側リング部分１８ｃの外縁近傍部には第２ケース１０にビス固定するための複数（例えば４つ）のビス穴が周方向に間隔を空けて設けられ、ビス穴１８ｅ近傍の外縁部には切欠き部１８ｆが設けられている。固定カバー１８は、収容部１０ａの傾斜部１０ｅ近傍に形成されたスペーサ１０ｇに切欠き部１８ｆの周方向位置が重なるように第２ケース１０に固定され、固定カバー１８がスペーサ１０ｇの上端部に当接する。
【００３１】
ビス穴１８ｅに対して切欠き部１８ｆが設けられた側にある隣のビス穴１８ｇと、この切欠き部１８ｆの間は、それ以外の部分よりも外側リング部分１８ｃが径方向外側に延び且つ放熱口が設けられていない。それ故、固定カバー１８を第２ケース１０に固定すると、ビス穴１８ｇと切欠き部１８ｆの間の領域の下方にある電力線接続部１７ｅには、固定カバー１８によって埃が溜まり難くなっている。
【００３２】
図５に示すように、収容部１０ａに収容された電動機ケース１７の電力線接続部１７ｅから延びる電力線２１は、電力線接続部１７ｅに臨む傾斜部１０ｅと電力線接続部１７ｅの間のスペースに延びている。この電力線２１は、傾斜部１０ｅ近傍の段付き部１０ｆに形成されたスペーサ１０ｇによって設定された大きさ隙間であって段付き部１０ｆと固定カバー１８の間の隙間を通り、図６に示すように固定カバー１８の切欠き部１８ｆから外部に引き出される。隙間の大きさは適宜設定することができ、例えば高さが５ｍｍ程度、幅が２０ｍｍ程度である。
【００３３】
次に、電力線２１について説明する。
図５，図６に示すように、電力線２１は、電力線接続部１７ｅから延びる予め設定された長さの細線部２２と、細線部２２の電力線接続部１７ｅと反対側の端部から外方に延びる細線部２２よりも太い太線部２３を有する。細線部２２は、スペーサ１０ｇによって大きさが設定された段付き部１０ｆと固定カバー１８の間の隙間を通すことができる太さである。
【００３４】
一方、細線部２２よりも太い太線部２３は、スペーサ１０ｇによって大きさが設定された段付き部１０ｆと固定カバー１８の間の隙間を通すことができない太さである。即ち、固定カバー１８が固定されている状態では、段付き部１０ｆと固定カバー１８の間の隙間に太線部２３を通すことができないようにしている。太線部２３は、例えばナイロンクランプ２５（図４参照）等によって第２ケース１０の上面部の所定位置に固定され、電力線接続部１７ｅからの電力線２１の抜け防止を図っている。
【００３５】
細線部２２の長さは、傾斜部１０ｅが形成された範囲内に収まるように電力線接続部１７ｅを周方向に動かしたときに、細線部２２を第２ケース１０の段付き部１０ｆと固定カバー１８の間の隙間を通して切欠き部１８ｆから外部に引き出すことができる長さ（例えば１００ｍｍ程度）である。この長さは、傾斜部１０ｅや電力線接続部１７ｅの周方向の幅等に基づいて予め設定される。
【００３６】
設定された長さの細線部２２がその隙間を通って切欠き部１８ｆから外部に引き出されるように電力線接続部１７ｅの周方向の位置の範囲が限定され、その範囲の電力線接続部１７ｅに臨む傾斜部１０ｅに防火処理を施して安全確保を図る。従って、従来は収容部１０ａの周方向全域に施していた防火処理を、傾斜部１０ｅに施すように限定して、防火処理を施す領域を縮小させることができる。
【００３７】
図７に示すように、電力線２１は複数の被覆電線として例えば２本の被覆電線２１ａ，２１ｂを有する。太線部２３は、これらの被覆電線２１ａ，２１ｂが束ねられて絶縁ゴム等の外装材２３ａによって覆われた１本の配線になっている。細線部２２は、複数の被覆電線２１ａ，２１ｂが外装材２３ａによって覆われていない複数の配線になっている。細線部２２は、太線部２３の外装材２３ａを除去して形成してもよく、予め外装材２３ａで覆わないように形成してもよい。
【００３８】
また、図８に示すように、太線部２３は複数の被覆電線２１ａ，２１ｂが例えばコルゲートチューブ等の合成樹脂製の保護チューブ２３ｂによって覆われて束ねられた１本の配線になっており、細線部２２は複数の被覆電線２１ａ，２１ｂが保護チューブ２３ｂによって覆われていない複数の配線になっている電力線２１でもよい。細線部２２は、太線部２３の保護チューブ２３ｂを除去して形成してもよく、予め保護チューブ２３ｂで覆わないように形成してもよい。
【００３９】
上記実施例の浴室暖房乾燥機１の作用、効果について説明する。
電動機１６の電力線２１は、電力線接続部１７ｅから延びる予め設定された長さの細線部２２と細線部２２の端部から更に外方に延びる細線部２２よりも太い太線部２３を有している。そして電動機１６を収容した電動機ケース１７を固定カバー１８によって固定した状態で第２ケース１０の段付き部１０ｆと固定カバー１８の間の隙間が所定の位置に形成され、その隙間の大きさが、電力線２１の細線部２２を通し且つ太線部２３を通せないように設定されている。
【００４０】
そのため、収容部１０ａにおける電力線接続部１７ｅの周方向位置が、設定された長さの細線部２２を段付き部１０ｆと固定カバー１８の間の隙間に通すことができる範囲内に限定される。従って、トラッキング現象による発火を防ぐための防火処理を施す部分を、その限定された範囲で電力線接続部１７ｅに臨む傾斜部１０ｅに縮小させることができるので、浴室暖房乾燥機１の安全確保と製造コストの低減を両立することができる。
【００４１】
太線部２３は複数の被覆電線２１ａ，２１ｂを外装材２３ａで被覆して構成され、細線部２２は外装材２３ａによる被覆がない複数の被覆電線２１ａ，２１ｂである。従って、細線部２２と太線部２３を備えた電力線２１を容易に形成できると共に浴室暖房乾燥機１の安全を確保できる。
【００４２】
また、太線部２３は複数の被覆電線２１ａ，２１ｂを保護チューブ２３ｂで覆って構成され、細線部２２は保護チューブ２３ｂに覆われていない複数の被覆電線２１ａ，２１ｂである。従って、細線部２２と太線部２３を備えた電力線２１を容易に形成できると共に浴室暖房乾燥機１の安全を確保できる。
【００４３】
その他、当業者であれば、本発明の趣旨を逸脱することなく、上記実施形態に種々の変更を付加した形態で実施可能であり、本発明はそのような変更形態を包含するものである。
【符号の説明】
【００４４】
１      ：浴室暖房乾燥機
２      ：熱交換器
４      ：第１ケース
１１    ：送風ファン
１０    ：第２ケース
１０ａ  ：収容部
１０ｅ  ：傾斜部
１０ｆ  ：段付き部
１０ｇ  ：スペーサ
１６    ：電動機
１７    ：電動機ケース
１７ｃ，１７ｄ  ：防振ゴム部材
１７ｅ  ：電力線接続部
１８    ：固定カバー
１８ｆ  ：切欠き部
２１    ：電力線
２１ａ，２１ｂ  ：被覆電線
２２    ：細線部
２３    ：太線部
２３ａ  ：外装材
２３ｂ  ：保護チューブ
【図１】
2020193750.tif 000003
【図２】
2020193750.tif 000004
【図３】
2020193750.tif 000005
【図４】
2020193750.tif 000006
【図５】
2020193750.tif 000007
【図６】
2020193750.tif 000008
【図７】
2020193750.tif 000009
【図８】
2020193750.tif 000010
【図９】
2020193750.tif 000011